(57)【要約】【課題】  パック毎に適切な転送速度および転送方法を設定できるとともにパックの属するファイル毎に再生制御が正確に行えるようにする。【解決手段】  送信装置であるディスクプレーヤ１００と受信装置である記録装置２００が２本のＩＥＥＥ１３９４規格のシリアルインタフェース１８８−１、１８８−２等を介して接続し、例えば、オーディオデータ及びビデオデータの少なくともいずれかのパックを含んで配列される所定のデータストリームより成る信号をパケット化するに際し、前記パケットに格納される所定のデータを識別するためのＩＤを所定のヘッダに格納し、ＩＥＥＥ１３９４規格のシリアルインタフェースに対応したパケットに変換して前記シリアルインタフェースを通じて伝送するようにする。【選択図】        図１
2005327460.tif 000002
【特許請求の範囲】
【請求項１】
ＤＶＤオーディオ規格の符号化方式であって圧縮ＰＣＭを含む符号化方式で符号化されるオーディオパック（Ａパック）からなるデータを含んで所定のデータストリームが形成された前記オーディオパックから得られたオーディオデータを所定方式のビットデータ配列からなるリアルデータとし、パケットヘッダとＣＩＰヘッダと前記リアルデータを収納する領域とからなる構造にパケット化するに際し、前記オーディオパックからＤＶＤデコードにより伸長されＰＣＭ信号に復号され、前記パケットに所定のビットデータ配列に格納され、前記パケットに格納されるオーディオデータが前記ＤＶＤオーディオ規格のパックからのオーディオデータであることを識別するためのＩＤとコピー管理フラグとをそのパケット内のデータフィールド内であってＣＩＰヘッダを除く実データ記録領域であるリアルデータ領域の内部に設けられた所定の領域に、格納すると共に所定のフォーマットでパケット化するパケット化処理手段を有することを特徴とする信号処理装置。
【請求項２】
ＤＶＤオーディオ規格の符号化方式であって圧縮ＰＣＭを含む符号化方式で符号化されるオーディオパック（Ａパック）からなるデータを含んで所定のデータストリームが形成された前記オーディオパックから得られたオーディオデータを所定方式のビットデータ配列からなるリアルデータとし、パケットヘッダとＣＩＰヘッダと前記リアルデータを収納する領域からなる構造にパケット化するに際し、前記オーディオパックからＤＶＤデコードにより伸長されＰＣＭ信号に復号され、前記パケットに所定のビットデータ配列に格納され、前記パケットに格納されるオーディオデータが前記ＤＶＤオーディオ規格のパックからのオーディオデータであることを識別するためのＩＤとコピー管理フラグとをそのパケット内のデータフィールド内であってＣＩＰヘッダを除く実データ記録領域であるリアルデータ領域の内部に設けられた所定の領域に、格納すると共に所定のフォーマットでパケット化され、前記格納されたＩＤを受信し、前記ＩＤに基づいて前記オーディオデータが前記ＤＶＤオーディオ規格のパックからのオーディオデータであることの識別を行う手段と、前記コピー管理フラグに基づいてコピー管理を行う手段と、
を有することを特徴とする信号処理装置。
【請求項３】
ＤＶＤオーディオ規格の符号化方式であって圧縮ＰＣＭを含む符号化方式で符号化されるオーディオパック（Ａパック）からなるデータを含んで所定のデータストリームが形成された前記オーディオパックから得られたオーディオデータを所定方式のビットデータ配列からなるリアルデータとし、パケットヘッダとＣＩＰヘッダと前記リアルデータを収納する領域とからなる構造にパケット化するに際し、前記オーディオパックからＤＶＤデコードにより伸長されＰＣＭ信号に復号され、前記パケットに所定のビットデータ配列に格納され、前記パケットに格納されるオーディオデータが前記ＤＶＤオーディオ規格のパックからのオーディオデータであることを識別するためのＩＤとコピー管理フラグとをそのパケット内のデータフィールド内であってＣＩＰヘッダを除く実データ記録領域であるリアルデータ領域の内部に設けられた所定の領域に、格納すると共に所定規格のシリアルインタフェースに対応したパケットに変換して前記所定規格のシリアルインタフェースを通じて伝送するようにしたことを特徴とする伝送方法。
【発明の詳細な説明】
【技術分野】
【０００１】
本発明は、ＤＶＤオーディオやＤＶＤビデオなどの多重化されたデータストリ
ームを、シリアルインタフェースを介して伝送するためのパケットの信号処理装
置、それを伝送するための伝送方法に関する。
【背景技術】
【０００２】
データストリームをシリアルインタフェースを介して伝送する技術が知られて
いる。
例えば、特開平１０−２８５２３４号公報、特開平１１−４５５１２号公報等
に開示されるようにＭＰＥＧストリームにヘッダを付加して伝送される。
上記のデータストリームは一般に分割して伝送される。そのためヘッダの情報
を用いてパケット抜けを処理することが必要になる。
ところで、近年、ＤＶＤオーディオフォーマットのようにＡパック、ＲＴＩ（
リアルタイムインフォメーション信号）パック、ＳＰＣＴ（静止画信号）パック
を含むオーディオファイルとＤＶＤ（ビデオ）ファイルとが多重化されたファイ
ル構造をもつコンテンツを伝送することが求められるようになった。
【発明の開示】
【発明が解決しようとする課題】
【０００３】
上記のような多重化されたファイル構造をもつデータストリームを転送する場合
には、特に、受信しやすいようにコンテンツの識別が行えることが重要な問題と
なっている。また、ファイルおよびパック（以下、パックはパケットから構成さ
れるとも記す。）の種類の確認と、ファイルおよびパケットの種類に応じた分割
、その転送速度の最適な設定、またはさらに複数のインタフェースへの分配の采
配とファイル毎の著作権管理が行えることが重要な問題となっている。
そこで、本発明は、上記の問題点に鑑み、これらの問題点を解決した音声信号
などを含むＤＶＤオーディオフォーマットやＤＶＤビデオフォーマットなどに基
づく多重化されたコンテンツを、デジタルシリアルインタフェースを介して伝送
するためのパケットの信号処理装置、それを伝送するための伝送方法を提供する
ものである。
【課題を解決するための手段】
【０００４】
本発明は上記目的を達成するために、以下の１）〜３）の手段より成る。
すなわち、
【０００５】
１）ＤＶＤオーディオ規格の符号化方式であって圧縮ＰＣＭを含む符号化方式で符号化されるオーディオパック（Ａパック）からなるデータを含んで所定のデータストリームが形成された前記オーディオパックから得られたオーディオデータを所定方式のビットデータ配列からなるリアルデータとし、パケットヘッダとＣＩＰヘッダと前記リアルデータを収納する領域とからなる構造にパケット化するに際し、前記オーディオパックからＤＶＤデコードにより伸長されＰＣＭ信号に復号され、前記パケットに所定のビットデータ配列に格納され、前記パケットに格納されるオーディオデータが前記ＤＶＤオーディオ規格のパックからのオーディオデータであることを識別するためのＩＤとコピー管理フラグとをそのパケット内のデータフィールド内であってＣＩＰヘッダを除く実データ記録領域であるリアルデータ領域の内部に設けられた所定の領域に、格納すると共に所定のフォーマットでパケット化するパケット化処理手段を有することを特徴とする信号処理装置。
２）ＤＶＤオーディオ規格の符号化方式であって圧縮ＰＣＭを含む符号化方式で符号化されるオーディオパック（Ａパック）からなるデータを含んで所定のデータストリームが形成された前記オーディオパックから得られたオーディオデータを所定方式のビットデータ配列からなるリアルデータとし、パケットヘッダとＣＩＰヘッダと前記リアルデータを収納する領域からなる構造にパケット化するに際し、前記オーディオパックからＤＶＤデコードにより伸長されＰＣＭ信号に復号され、前記パケットに所定のビットデータ配列に格納され、前記パケットに格納されるオーディオデータが前記ＤＶＤオーディオ規格のパックからのオーディオデータであることを識別するためのＩＤとコピー管理フラグとをそのパケット内のデータフィールド内であってＣＩＰヘッダを除く実データ記録領域であるリアルデータ領域の内部に設けられた所定の領域に、格納すると共に所定のフォーマットでパケット化され、前記格納されたＩＤを受信し、前記ＩＤに基づいて前記オーディオデータが前記ＤＶＤオーディオ規格のパックからのオーディオデータであることの識別を行う手段と、前記コピー管理フラグに基づいてコピー管理を行う手段と、
を有することを特徴とする信号処理装置。
３）ＤＶＤオーディオ規格の符号化方式であって圧縮ＰＣＭを含む符号化方式で符号化されるオーディオパック（Ａパック）からなるデータを含んで所定のデータストリームが形成された前記オーディオパックから得られたオーディオデータを所定方式のビットデータ配列からなるリアルデータとし、パケットヘッダとＣＩＰヘッダと前記リアルデータを収納する領域とからなる構造にパケット化するに際し、前記オーディオパックからＤＶＤデコードにより伸長されＰＣＭ信号に復号され、前記パケットに所定のビットデータ配列に格納され、前記パケットに格納されるオーディオデータが前記ＤＶＤオーディオ規格のパックからのオーディオデータであることを識別するためのＩＤとコピー管理フラグとをそのパケット内のデータフィールド内であってＣＩＰヘッダを除く実データ記録領域であるリアルデータ領域の内部に設けられた所定の領域に、格納すると共に所定規格のシリアルインタフェースに対応したパケットに変換して前記所定規格のシリアルインタフェースを通じて伝送するようにしたことを特徴とする伝送方法。
【発明の効果】
【０００６】
以上説明したように、本発明によれば、シリアル伝送する場合に、例えばＤＶ
ＤオーディオやＤＶＤビデオ等の所定のデータストリームをＤＶＤオーディオや
ＤＶＤビデオを区別して、或いは、データ配列方式を区別しながらそれぞれのパ
ックの種類別に分けて所定のヘッダを付加し、ＩＥＥＥ１３９４等のパケットに
変換して必要な場合に分配して転送するようにしたので、パック毎に適切な転送
速度および転送方法を設定できるとともにパックの属するファイル毎に設けられ
たコピー管理が正確に行えるなど、効率的な伝送方法を提供できる等のさまざま
な効果を奏する。
【発明を実施するための最良の形態】
【０００７】
以下、本発明の実施の形態につき、この好ましい実施例により説明する。
図１はその実施例に係る信号処理装置及び伝送方法の第１の実施例を示すブロ
ック図、図２は図１のディスクプレーヤの処理を示すフローチャートである。
図１の例では、家庭内情報ネットワークのセンターを担う送信装置であるディス
クプレーヤ１００と１つの受信端末装置である再生装置２００がそれぞれデータ
転送インタフェース（Ｉ／Ｆ）２００ａ、２００ｂを有し、データ転送Ｉ／Ｆ２
００ａ、２００ｂが２本のＩＥＥＥ１３９４規格のシリアルインタフェース１８
８−１、１８８−２を介して接続されている。ディスクプレーヤ１００は、例え
ばＤＶＤオーディオディスクに記録されているオーディオ信号Ａと静止画（スチ
ルピクチャ）信号ＳＰＣＴを読み出し、これをデータ転送Ｉ／Ｆ２００ａ、シリ
アルインタフェース１８８−１、１８８−２を介して再生装置２００に送信する
。再生装置２００はこのオーディオ信号Ａと静止画信号ＳＰＣＴをシリアルイン
タフェース１８８−１、１８８−２、データ転送Ｉ／Ｆ２００ｂを介して受信し
て、再生する。このとき、一方のシリアルインタフェース１８８−１は受信又は
送信用に選択的に使用され、他方のシリアルインタフェース１８８−２は送信専
用に使用される。
【０００８】
図２を参照して図１のディスクプレーヤ１００の動作を説明する。まず、データ
転送Ｉ／Ｆ２００ａと一方のシリアルインタフェース１８８−１とを受信モード
に設定し（ステップＳ１）、次いでデータ転送Ｉ／Ｆ２００ａ、２本のシリアル
インタフェース１８８−１、１８８−２を介して再生装置２００との間で双方向
伝送を行う（ステップＳ２）。
次いで一方のシリアルインタフェース１８８−１を受信モードから送信モードに
設定し（ステップＳ３）、次いで２本のシリアルインタフェース１８８−１、１
８８−２を介して、転送レートが比較的高い信号を分散して再生装置２００に送
信する（ステップＳ４）。すなわち、この例では他方のシリアルインタフェース
１８８−２は常に送信モードに設定される。
【０００９】
送信データの具体例としては、ＤＶＤオーディオディスクにはオーディオ信号Ａ
の他にリアルタイムインフォメーション信号ＲＴＩ（例えばテキストデータ）と
静止画信号ＳＰＣＴが記録されているので、オーディオ信号Ａをシリアルインタ
フェース１８８−１を介して伝送し、リアルタイムインフォメーション信号ＲＴ
Ｉと静止画信号ＳＰＣＴをシリアルインタフェース１８８−２を介して伝送する
方法が考えられる。このように分散することにより前者のオーディオ信号Ａと後
者のリアルタイムインフォメーション信号ＲＴＩと静止画信号ＳＰＣＴが同期再
生される場合にはバッファ容量の制限を回避できるので多数の静止画、例えば８
０枚から９９枚、を同期再生させることができる。なお、一方を受信モードに設
定したステップＳ１において行う具体的な通信の例は、再生端末からのディスク
の指定（リクエスト）、プレイコマンド等の操作指示である。
【００１０】
なお、シリアルインタフェースは２本に限定されず、例えば図３、図４に示すよ
うに４本のシリアルインタフェース１８８−１〜１８８−４（及びデータ転送イ
ンタフェースＩ／Ｆ２００ａ´、２００ｂ´）を用いてもよい。すなわち、まず
、シリアルインタフェース１８８−１〜１８８−４の中の１本を受信モードに設
定し（ステップＳ１１）、次いで、２本のシリアルインタフェース１８８−１、
１８８−２を介して再生装置２００との間で双方向伝送を行う（ステップＳ１２
）。次いで上記の受信モードのインタフェース１８８−１を双方向モードに設定
し（ステップＳ１３）、次いで３本のシリアルインタフェース１８８−２〜１８
８−４を介して、転送レートが比較的高い信号を分散して再生装置２００に送信
する（ステップＳ１４）。
【００１１】
すなわち、この場合には例えば１本のシリアルインタフェース１８８−１を受信
又は送信に選択的に使用し、他の３本のシリアルインタフェース１８８−２〜１
８８−４を送信専用に使用するようにしてもよい。この場合には、例えば、オー
ディオ信号Ａとリアルタイムインフォメーション信号ＲＴＩと静止画信号ＳＰＣ
Ｔをそれぞれ３本のシリアルインタフェース１８８−２〜１８８−４を介して伝
送し、再生端末との操作に関するデータを１本のシリアルインタフェース１８８
−１を介して相互に伝送する方法が考えられる。
【００１２】
本実施例ではまた、ＩＥＥＥ１３９４規格の伝送方式に代えてＩＥＣ９５８規格
のオーディオ対応フォーマットにも適用することができる。
ＩＥＣ９５８規格は、本実施例のＩＥＥＥ１３９４規格のように双方向への伝送
方式と異なり、一方方向のみの伝送方式であり、本実施例のように複数のシリア
ルインタフェースを用いて双方向に伝送する場合には適用し易いものとなる。
更に、上記ＩＥＣ９５８規格のオーディオ対応フォーマットとは、ＩＥＥＥ１３
９４規格におけるＩＥＣ９５８モードオーディオ対応フォーマット（ＡＭ８２４
）であってもよく、ＩＥＥＥ１３９４規格の様々なモード、例えばDVDビデオ対
応フォーマットにも適用できる。
【００１３】
次に、図５を用いて課金フラグ、ゼロフラグ、ミュートフラグ、及びパックフラ
グの説明を行う。まず、送信側から受信側に対してコンテンツＩＤ又はその一部
のパケットの種類に応じた「有料」、「無料」を示す課金フラグを各シリアルイ
ンタフェースを介して送信し、受信側ではこのフラグを見て、「有料」の場合、
電子財布から課金を行う課金管理を行い（ステップＳ２１）、また、複数本のシ
リアルインタフェースの内、いくつかが不使用の場合やデータが「０」の場合に
は、送信側から受信側に対してそのシリアルインタフェースを介してゼロフラグ
を送信し、受信側ではこのフラグを見て（ステップＳ２２）、Ｙであれば受信処
理しないようにし（ステップＳ２３）、また、音声信号Ａ以外のデータ、例えば
静止画信号ＳＰＣＴやリアルタイムインフォメーションＲＴＩをあるシリアルイ
ンタフェースを介して送信する場合には受信側において音声信号用のＤ／Ａコン
バータにより雑音が発生しないように、送信側から受信側に対してそのシリアル
インタフェースを介してミュートフラグを送信し、受信側ではこのフラグを見て
（ステップＳ２４）、Ｙであればミュート処理するようにする（ステップＳ２５
）。
【００１４】
また、音声信号Ａ、静止画信号ＳＰＣＴ、リアルタイムインフォメーションＲＴ
Ｉ、ビデオ信号Ｖをあるシリアルインタフェースを介して送信する場合には受信
側においてそれを即座にデコードして同期を取り易いように、送信側から受信側
に対してそのシリアルインタフェースを介して信号種類を識別するパックフラグ
を送信し、受信側ではこのフラグを見て受信し（ステップＳ２６）、終了であれ
ば（ステップＳ２７でＹ）終了する。
図８にステップＳ２６の具体的一例を示す。すなわち、パックフラグがオーディ
オ信号（ＤＶＤオーディオディスクのＡパック）であるか見て（ステップＳ３１
）、ＹであればＡパックバッファに供給し（ステップＳ３２）、パックフラグが
ビデオ信号（ＤＶＤオーディオディスクのビデオパック）であるか見て（ステッ
プＳ３３）、ＹであればＶパックバッファに供給し（ステップＳ３４）、パック
フラグがＲＴＩ信号（ＤＶＤオーディオディスクのＲＴＩパック）であるか見て
（ステップＳ３５）、ＹであればＲＴＩパックバッファに供給し（ステップＳ３
６）、パックフラグがＳＰＣＴ信号（ＤＶＤオーディオディスクのＳＰＣＴパッ
ク）であるか見て（ステップＳ３７）、ＹであればＳＰＣＴパックバッファに供
給し（ステップＳ３８）、その他であればデコーダバッファに供給する（ステッ
プＳ３９）。
【００１５】
そして、上述した課金フラグ、ゼロフラグ、ミュートフラグ、又は／及び信号種
類識別フラグ（パックフラグ）は、次のようなデータ配列に収納して送信する。
図６は、その送信を行うためのＩＥＥＥ１３９４規格のアイソクロナス（Isochr
onous）転送方式を説明するための図で、図６（ａ）はトランスポート・ストリ
ームを示す。トランスポート・ストリームは、１８８バイトの固定パケットで、
ここではＤＶＤオーディオ規格によるオーディオデータのビット列（Ａパック）
やＤＶＤビデオ規格による画像データやオーディオデータなど（Ｖパック）が配
列される。
【００１６】
図１１から図１４にここで配列されるＡパック、Ｖパック、ＲＴＩパック、及
びＳＰＣＴパックのデータ構造を示す。
図１１に示すＰＣＭのＡパックはＤＶＤオーディオディスクのデータエリア内に
記録されているものである。
このＰＣＭのＡパックは、２０４８バイト以下で構成され、その内訳は１４バイ
トのパックヘッダとＡパケットにより構成されている。Ａパケットは１７、９又
は１４バイトのパケットヘッダと、プライベートヘッダと、１ないし２０１１バ
イトのオーディオデータにより構成されている。
【００１７】
プライベートヘッダは、
・８ビットのサブストリームＩＤと、
・ＵＰＣ、ＥＡＮ、ＩＳＲＣ内の３ビットの保留領域と、
・ＵＰＣ、ＥＡＮ、ＩＳＲＣ内の５ビットのＵＰＣ／ＥＡＮ／ＩＳＲＣ  番号と
、
・ＵＰＣ、ＥＡＮ、ＩＳＲＣ内の８ビットのＵＰＣ／ＥＡＮ／ＩＳＲＣ  データ
と、
・８ビットのプライベートヘッダ長と、
・１６ビットの第１アクセスユニットポインタと、
・８バイトのオーディオデータ情報（ＡＤＩ）と、
・０〜７バイトのスタッフィングバイトと、
により構成されている。
【００１８】
ＡＤＩ（オーディオデータ情報部）は、
・１ビットのオーディオ・エンファシス・フラグと、
・１ビットの保留領域と、
・１ビットのステレオ再生モードと、
・１ビットのダウンミクスコード有効性と、
・４ビットのダウンミクスコードと、
・４ビットのグループ「１」の量子化ワード長「１」と、
・４ビットのグループ「２」の量子化ワード長「２」と、
・４ビットのグループ「１」のオーディオ・サンプリング周波数ｆｓ１と、
・４ビットのグループ「２」のオーディオ・サンプリング周波数ｆｓ２と、
・４ビットの保留領域と、
・４ビットのマルチチャネルタイプと、
・３ビットのグループ「２」のビットシフトと、
・５ビットのチャネル割り当て情報と、
・８ビットのダイナミックレンジ制御情報と、
・１６ビットの保留領域と、
により構成されているものである。
【００１９】
図１２に示すＶパックは、ＤＶＤビデオディスクのデータエリア内に記録されて
いるものである。
このＶパックは、２０４８バイト以下で構成され、その内訳は１４バイトのパッ
クヘッダとユーザデータパケットにより構成されている。パックヘッダは４バイ
トのパックスタートと、６バイトのＳＣＲと、３バイトのＭＵＸレート（多重転
送レート）と、１バイトのスタッフィングにより構成されている。
【００２０】
図１３に示すＲＴＩパックはＤＶＤオーディオディスクのデータエリア内に記録
されているものである。
このＲＴＩパックは、２０４８バイト以下で構成され、その内訳は１４バイトの
パックヘッダとＲＴＩパケットにより構成されている。ＲＴＩパケットは１７、
９又は１４バイトのパケットヘッダと、ＲＴＩプライベートヘッダと、１ないし
２０１５バイトのＲＴＩデータにより構成されている。
【００２１】
ＲＴＩプライベートヘッダは、
・８ビットのサブストリームＩＤと、
・２バイトの保留領域と、
・８ビットのプライベートヘッダ長と、
・４ビットの保留領域と、
・４ビットのＲＴＩ情報ＩＤと、
・０〜７バイトのスタッフィングバイトと、
により構成されている。
【００２２】
図１４に示すＳＰＣＴパックは、ＤＶＤオーディオディスクのデータエリア内に
記録されているものである。
このＳＰＣＴパックは、２０４８バイト以下で構成され、その内訳は１４バイト
のパックヘッダとＳＰＣＴパケットにより構成されている。ＳＰＣＴパケットは
２２、１９又は９バイトのパケットヘッダと、１ないし２０２５バイトのＳＰＣ
Ｔデータにより構成されている。
【００２３】
再び、図６において、上述の１８８バイトよりなる固定パケットは、その先頭に
ソース・パケット・ヘッダと呼ばれるタイムスタンプが付けられる[図６（ｂ）]
。受信側では、このタイムスタンプの時刻に合わせて音声や動画が再生されるよ
うになっている。
そして、これらのデータはそれぞれ４８バイトの複数のデータ・ブロックに分割
される[図６（ｃ）]。その分割方法は、１９２バイト×１ブロック、９６バイト
×２ブロック、４８バイト×４ブロック、２４バイト×８ブロックの４通りであ
る。
【００２４】
次に、複数のデータ・ブロックがまとめられて、一つのアイソクロナス転送パケ
ットが作られる。このまとめられ方は、１２５μｓを１サイクルとし、この１サ
イクル毎に収まる数の部録に順次まとめられ、そのブロックの先頭に後述するＩ
ＥＥＥ１３９４用のパケットヘッダが付加される。図６（ｄ）に４８バイトづつ
に分割されたデータが３ブロック及び２ブロックにまとめられた状態が示されて
いる。
【００２５】
そして、このデータ転送を行う時には、図７に示すように、先頭にアービトレ
イションが付加され、これに続いてサイクルスタートパケットが配列され、更に
、このサイクルスタートパケットに続いて所定間隔毎に１２５ μｓのパケット
が繰り返し配列されて転送されるようになっている。
【００２６】
この１２５ μｓ毎のパケットは、パケットヘッダと、データフィールドと、３
２ビットのデータエラー検出符号とにより構成されている。
パケットヘッダは、
・１６ビットのデータ長情報と、
・２ビットの後述するＣＩＰ（Common Isochronous Packet）ヘッダの  有無を
示すタグと、
・６ビットのパケットが伝送されるチャネル割り当て情報と、
・４ビットの処理コードを示すトランザクションコードと、
・４ビットの同期コードと、
・３２ビットのパケットヘッダエラー検出符号と、
より構成される。
【００２７】
データフィールドは、３２ビットのＣＩＰヘッダと６４ビットのリアルデータ
のヘッダとリアルデータとから構成される。
リアルデータのヘッダは３２ビットのコンテンツＩＤと、８ビットのＩＤと１６
ビットの応用情報と８ビットの保留領域から構成される。
３２ビットのコンテンツＩＤは、ＩＳＲＣ、又はコンテンツに割り当てられた
記号により構成される。
ＩＳＲＣ（国際標準レコーディングコード：ＩｎｔｅｒｎａｔｉｏｎａｌＳｔ
ａｎｄａｒｄ  Ｒｅｃｏｒｄｉｎｇ  Ｃｏｄｅ）は、国際的に管理されたコンテ
ンツを特定するための著作権情報である。
８ビットのＩＤは、
・４ビットのシリアルインタフェースの総数と、
・４ビットのシリアルインタフェースの番号と、
により構成される。
１６ビットの応用情報は、
・４ビットのパックフラグと、
・１ビットのゼロフラグと、
・１ビットのミュートフラグと、
・８ビットの課金フラグと、
・２ビットのコピーフラグと、
により構成される。
【００２８】
次に、図９はディスクプレーヤ１００の具体的な実施例を示し、ＤＶＤオーデ
ィオディスクとＤＶＤビデオディスクなどを再生可能なユニバーサルプレーヤを
示している。ユニバーサルプレーヤでは制御部１４の制御及び操作部１５、リモ
コン１６の操作に基づいてＤＶＤオーディオディスク、ＤＶＤビデオディスク、
ＤＶＤ−ＲＡＭディスクなどのディスク１に記録されているデータがドライブ装
置２により再生されて復調回路２Ｂにより復調される。ＤＶＤオーディオディス
クやＤＶＤビデオビデオディスクから再生されたビデオ（Ｖ）パックとＤＶＤオ
ーディオディスクから再生された静止画パックは、静止画／Ｖパック・デコーダ
３によりＤＶＤデコードされてビデオストリームに変換される。なお、このビデ
オストリームは、元々ＣＳＳ（コンテンツ・スクランブル・システム）方式でス
クランブルされている。
【００２９】
そして、図１に示すモニター用の出力端子５５を介して外部の表示器（不図示）
に表示させ、あるいはオーディオ出力として取り出す場合には、このビデオスト
リームが伸長／画像変換部４により伸長、デスクランブルなどされ、次いでＤ／
Ａ変換部５を介してＶパックは、ビデオ信号／サブピクチャ信号／オーディオ信
号として出力され、静止画ＳＰＣＴパックは、ビデオ信号として出力される。他
方、図１に示す再生装置２００に転送する場合には２通りあり、第１の方法では
、伸長／画像変換部４により伸長、デスクランブルなどされたデータがデータ配
列部６により所定の方式でデータ配列され、次いで２本のデータ転送Ｉ／Ｆ７−
１、７−２及びＩＥＥＥ１３９４又はＩＥＣ９５８のシリアルインタフェースを
介して再生装置２００に転送される。第２の方法では、静止画／Ｖパック・デコ
ーダ３によりデコードされたスクランブルなしのビデオストリームがＤＶＤのパ
ックの方式でデータ転送Ｉ／Ｆ７−１、７−２及びＩＥＥＥ１３９４又はＩＥＣ
９５８のシリアルインタフェースを介して再生装置２００に転送される。
上記の所定の方式のデータ配列は、ＩＥＣ９５８モードオーディオ対応フォー
マットであり、ラベルと２４ビットデータが順序よく配列される。
【００３０】
また、ＤＶＤオーディオディスクやＤＶＤビデオディスク、ＤＶＤ−ＲＡＭディ
スクから再生されたオーディオＡパックと、ＲＴＩパックは、Ａパック／ＲＴＩ
パックデコーダ８によりＤＶＤデコードされて所定の方式のオーディオストリー
ムに変換され、また表示信号生成部１１を介して文字情報／リアルタイムテキス
ト情報ＲＴＩに変換される。なお、このＤＶＤオーディオストリームは、元々Ｃ
ＳＳＩＩ方式でスクランブルされている。
【００３１】
そして、オーディオ信号を図１の出力端子５５を介して取り出し外部のスピー
カ（不図示）に供給する場合には、このオーディオストリームはＰＣＭ変換／オ
ーディオ信号処理部９によりＰＣＭ変換、デスクランブルなどされてＰＣＭ信号
に変換され、次いでＤ／Ａ変換部１０を介して出力される。また、ＲＴＩを外部
の表示器（不図示）に表示させる場合には、表示信号生成部１１により変換され
た出力信号が供給される。他方、図１の再生装置２００に転送する場合にもビデ
オの場合と同様に２通りあり、第１の方法では、ＰＣＭ変換／オーディオ信号処
理部９によりＰＣＭ変換、デスクランブルなどされたＰＣＭデータがスクランブ
ラ１２によりデパックされた所定の方式でデータ配列され、次いで２本のデータ
転送Ｉ／Ｆ１３−１、１３−２及びＩＥＥＥ１３９４又はＩＥＣ９５８のシリア
ルインタフェースを介して再生装置２００に転送される。
上記の所定の方式は、ＩＥＣ９５８モードオーディオ対応フォーマット（ＡＭ
８２４）である。
【００３２】
第２の方法では、Ａパック／ＲＴＩパックデコーダ８によりデコードされてスク
ランブルなしのＤＶＤのパックの方式でオーディオストリームがデータ転送Ｉ／
Ｆ１３−１、１３−２及びＩＥＥＥ１３９４又はＩＥＣ９５８のシリアルインタ
フェースを介して再生装置２００に転送される。例えば、ＤＶＤオーディオのＡ
パックは前者の方式（Ａパック）で転送され、ＤＶＤビデオのＡパックは後者の
方式（ＡパックＩＩ）で転送される。
【００３３】
また、図１０は受信装置２００の他の例で、図９に示すユニバーサルプレーヤ１
００により転送されたデータを再生する再生装置を示し、ユニバーサルプレーヤ
１００によりシリアルインタフェースを介して転送されたデータは、データ転送
Ｉ／Ｆ２１−１、２１−２を介して受信される。データ転送Ｉ／Ｆ２１−１、２
１−２は、ユニバーサルプレーヤ１００により転送されたヘッダのフラグに基づ
いて制御部３２によりＤＶＤデコーダ２２のバッファ２２Ｖ、Ａパック再生部２
３のバッファ２３Ｖ、Ｖパック再生部２４のバッファ２４Ｖ、ＲＴＩパック再生
部２５のバッファ２５Ｖ、及びＳＰＣＴパック再生部２６のバッファ２６Ｖのい
ずれかに分配する。すなわち、図７に示す、上述したリアルデータのヘッダ１６
ビットの応用情報の４ビットのパックフラグによりＡパックと識別した場合は、
Ａパック再生部２３のバッファ２３Ｖに、Ｖパックと識別した場合は、Ｖパック
再生部２４のバッファ２４Ｖに、ＲＴＩパックと識別した場合は、ＲＴＩパック
再生部２５のバッファ２５Ｖに、ＳＰＣＴパックと識別した場合は、ＳＰＣＴパ
ック再生部２６のバッファ２６Ｖにそれぞれ分配する。もし、リアルデータのヘ
ッダ１６ビットの応用情報の４ビットのパックＩＤが付加されていない場合は、
ＤＶＤデコーダ２２のバッファ２２Ｖに供給される。操作部３３は、プレイなど
の操作を行うためのものである。
再生時に、Ａパック／ＡＩＩパック再生部２３において、ＤＶＤビデオのＡパ
ックとＤＶＤオーディオのＡパックはそれぞれＡパックとＡＩＩパックとして別
々のものとして認識され、それぞれのデコードが施されて再生されることになる
。
【００３４】
このように、リアルデータのヘッダ１６ビットにパックフラグを設けることによ
り、音声信号Ａ、静止画信号ＳＰＣＴ、リアルタイムインフォメーションＲＴＩ
、ビデオ信号Ｖを受信する場合には受信側においてそれを即座にデコードできる
ため、例えば静止画ＳＰＣＴと音声Ａの同期を取るために予め多量の静止画信号
を静止画バッファに取り込む必要がなくなり、従来バッファ容量により制限され
ていた静止画の同期再生の制限が低減される。また、ビデオ動画Ｖ（音声付き）
とオーディオＡが同時に取り出せ、同時に再生できるようになり、それぞれが別
々に再生しなければならない再生の制限が解消される。
また、上記８ビットのＩＤにより、使用されるシリアルインタフェースの総数
を検出して、シリアルインタフェースの番号により使用される番号を連続的に受
信するようにしている。また、ゼロフラグと、ミュートフラグと、課金フラグを
参照するようにしている。課金フラグは課金管理部３４で処理される。コピーフ
ラグはこの場合、使用されない。
なお、リアルデータのヘッダにパック識別のＩＤを設ける代わりに、ＩＥＥＥ
１３９用のヘッダ（図６）にそれを設けても良い。
【００３５】
また、上記各実施例では、受信装置を再生装置として説明したが、それに限ら
ず、記録装置であってもよい。その場合には、さらにコピー管理フラグが参照さ
れる。
また、上述の実施例におけるインタフェースは、複数接続可能なインタフェース
であり、多量のデータをより高速に転送させることを念頭におき、複数のインタ
フェースを接続した構成で説明したが、それほど多量のデータを高速転送するこ
とを望まないならば、双方向転送可能なＩＥＥＥ１３９４規格のインタフェース
を一個用いるようにしてもよい。
また、ディスクプレーヤは、光ディスクに限らず、ハードディスク（ＨＤＤ）等
の記録媒体であっても良い。
【図面の簡単な説明】
【００３６】
【図１】本発明に係る伝送方法、信号処理装置（送信装置、受信装置）の第１の実施例を示すブロック図である。
【図２】図１のディスクプレーヤの処理を示すフローチャートである。
【図３】第２の実施形態の伝送方法、信号処理装置（送信装置、受信装置）を示すブロック図である。
【図４】図３のディスクプレーヤの処理を示すフローチャートである。
【図５】図１、図３の受信装置の処理を示すフローチャートである。
【図６】ＩＥＥＥ１３９４規格におけるアイソクロナス転送方式を説明するための図である。
【図７】転送時のデータ配列の詳細図である。
【図８】図５のフローチャートの一部を詳細に示すフローチャートである。
【図９】図１、図３のプレーヤの他の例を示すブロック図である。
【図１０】図１、図３の受信部の他の例を示すブロック図である。
【図１１】ＤＶＤオーディオ規格によるオーディオデータのリニアＰＣＭのＡパックのデータ構造である。
【図１２】ＤＶＤビデオ規格によるデータのデータ構造である。
【図１３】ＤＶＤオーディオ規格によるのＲＴＩパックのデータ構造である。
【図１４】ＤＶＤオーディオ規格によるのＳＰＣＴパックのデータ構造である。
【符号の説明】
【００３７】
１００   ディスクプレーヤ（送信装置）
２００   再生装置（受信装置）
１８８−１〜１８８−４ シリアルインタフェース
７−１〜７−２、１３−１〜１３−２、２００ａ、２００ａ´ データ転送イ
ンタフェース（送信手段）
２１−１〜２１−２、２００ｂ、２００ｂ´ データ転送インタフェース（受
信手段）
【図１】
2005327460.tif 000003
【図２】
2005327460.tif 000004
【図３】
2005327460.tif 000005
【図４】
2005327460.tif 000006
【図５】
2005327460.tif 000007
【図６】
2005327460.tif 000008
【図７】
2005327460.tif 000009
【図８】
2005327460.tif 000010
【図９】
2005327460.tif 000011
【図１０】
2005327460.tif 000012
【図１１】
2005327460.tif 000013
【図１２】
2005327460.tif 000014
【図１３】
2005327460.tif 000015
【図１４】
2005327460.tif 000016